(57)【要約】【課題】  高温多湿の空気と温度の低い外気とを熱交換しても結露の発生やその結露による問題の発生を防止することのできる換気装置を提供する。【解決手段】  室内の空気を吸い込む吸込口１９と、この吸い込んだ空気を排気する排気口１８と、外気を導入する外気導入口１７と、この外気導入口１７から導入された外気を室内へ給気する給気口２０と、外気導入口１７から導入された外気と排気口１８から排気する空気との熱交換を行う熱交換素子１２とを備えた換気装置１０であって、熱交換素子１２の熱交換によって発生する結露を防止する連通開口２１およびダンパ２５を設けた。【選択図】  図１
2005164113.tif 000002
【特許請求の範囲】
【請求項１】
室内の空気を吸い込む吸込口と、この吸い込んだ空気を排気する排気口と、外気を導入する外気導入口と、この外気導入口から導入された外気を室内へ給気する給気口と、前記外気導入口から導入された外気と前記排気口から排気する空気との熱交換を行う熱交換素子とを備えた換気装置であって、
前記熱交換素子の熱交換によって発生する結露を防止する結露防止手段を設けたことを特徴とする換気装置。
【請求項２】
前記結露防止手段は、前記外気導入口と熱交換素子との間に形成された外気導入室と前記室内とを通する連通開口と、この連通開口および前記外気導入口の開閉を行う開閉手段とを備えていることを特徴とする請求項１に記載の換気装置。
【請求項３】
前記排気口から排気される空気の湿度を検出する湿度センサを有し、
前記結露防止手段は、前記湿度センサの検出信号に基づいて前記開閉手段の開閉を制御する制御手段を備えていることを特徴とする請求項２に記載の換気装置。
【請求項４】
前記外気導入口から導入される外気の温度を検出する温度センサと、
前記排気口から排気される空気の湿度を検出する湿度センサと、
前記排気口から排気される空気の温度を検出する温度センサとを備え、
前記制御手段は、これらセンサの検出信号に基づいて前記開閉手段の開閉を制御することを特徴とする請求項２に記載の換気装置。
【請求項５】
前記給気口から室内へ給気される空気を加熱するヒータを備え、
前記結露防止手段は、前記外気導入口と熱交換素子との間に形成された外気導入室へ前記ヒータで加熱された空気の一部を戻す循環手段であることを特徴とする請求項１に記載の換気装置。
【請求項６】
前記外気導入口から導入される外気の温度を検出する温度センサを有し、
前記循環手段は、前記温度センサの検出信号に基づいて前記外気導入室へ戻す加熱された空気の風量を調整することを特徴とする請求項５に記載の換気装置。
【請求項７】
前記給気口から室内へ給気される空気を加熱するヒータを備え、
前記結露防止手段は、前記熱交換素子の熱交換によって発生したドレインを受けるドレイン受部を有し、このドレイン受部に前記ヒータによって加熱された空気が当たることを特徴とする請求項１に記載の換気装置。
【請求項８】
前記外気導入口と給気口とを連通して熱交換素子を迂回する第１バイパス風路と、前記吸込口と排気口とを連通して熱交換素子を迂回する第２バイパス風路と、第１,第２バイパス風路を開閉する開閉手段とを備え、
前記ヒータを非通電状態にして、所定の作動状態のときに前記開閉手段を開成して熱交換素子に外気と室内の空気を流さないようにしたことを特徴とする請求項７に記載の換気装置。
【請求項９】
前記ドレイン受部にドレインが溜まっていないとき、前記ヒータによって加熱された空気がそのドレイン受部に当たらないようにするダンパを設けたことを特徴とする請求項７または請求項８に記載の換気装置。
【請求項１０】
室内の空気を吸い込む吸込口と、この吸い込んだ空気を排気する排気口と、外気を導入する外気導入口と、この外気導入口から導入された外気を室内へ給気する給気口と、前記外気導入口から導入された外気と前記排気口から排気する空気との熱交換を行う熱交換素子とを備えた換気装置であって、
前記排気口から排気した空気と外気とを熱交換し、この熱交換した外気を前記外気導入口に導入することを特徴とする換気装置。
【発明の詳細な説明】
【技術分野】
【０００１】
この発明は、室内の空気を換気する換気装置に関する。
【背景技術】
【０００２】
従来から、図２０に示す浴室換気装置１が知られている（例えば特許文献１参照）。
【０００３】
係る浴室換気装置１には、浴室内の空気を吸気する吸込口２と浴室内へ温風を吹き出す吹出口３とが設けられている。吹出口３内にはヒータＨが設けられており、吹出口３から吹き出す空気をそのヒータＨによって暖めるようになっている。
【０００４】
また、浴室換気装置１には排気口５が設けられており、この排気口５は図示しない排気ダクトを介して室外に連通されている。また、浴室換気装置１内にはダンパＤが設けられており、このダンパＤは図２０に示す実線位置と破線位置と鎖線位置とに切り換え可能となっている。ダンパＤが実線位置に切り換わると吸込口２と吹出口３とが連通され、暖房モードのときヒータＨが通電され、吹出口３から温風が吹き出される。
【０００５】
換気モードのとき、ダンパＤが破線位置に切り換わり吸込口２と排気口５とが連通される。乾燥モードのとき、ダンパＤが中間位置である鎖線位置に切り換わるとともにヒータＨが通電され、衣類の乾燥が行えるようになっている。
【０００６】
Ｆは遠心ファンであり、この遠心ファンＦによって吸込口２から空気を吸気し、この吸気した空気を吹出口３から吹き出させたり、排気口５から排気したりする。
【０００７】
ところで、このような浴室換気装置１にあっては、乾燥モードのときダンパＤが鎖線位置に切り換わるとともにヒータＨが通電される。そして、浴室内の空気が吸込口２から吸い込まれていき、この吸い込まれた空気がヒータＨにより加熱されて吹出口３から温風となって浴室内へ吹き出されていく。他方、浴室内の空気の一部は外へ排気され、この排気により浴室の湿気が室外に排出されるので、浴室は効率よく乾燥していく。
【０００８】
しかしながら、湿気の排出と同時にヒータＨで加熱した浴室の空気の一部を排気するので、熱エネルギーも同時に排出してしまい、ヒータＨは無駄な電力を消費することになる。
【０００９】
そこで、排出する空気と浴室外から導入する外気とを熱交換素子で熱交換して排熱を回収する浴室換気装置が提案されている（例えば特許文献１参照）。
【特許文献１】特開２００３−１６６７３７号公報
【特許文献２】特許公報第２５４３１２９号
【発明の開示】
【発明が解決しようとする課題】
【００１０】
しかしながら、このような熱交換素子を備えた浴室換気装置にあっては、浴室の空気は高温多湿であるため、温度の低い外気と熱交換すると結露が発生し、この結露によって水滴が室内に垂れてきたりカビが発生したりする等の様々な問題があった。
【００１１】
この発明の目的は、高温多湿の空気と温度の低い外気とを熱交換しても結露の発生やその結露による問題の発生を防止することのできる換気装置を提供することにある。
【課題を解決するための手段】
【００１２】
請求項１の発明は、室内の空気を吸い込む吸込口と、この吸い込んだ空気を排気する排気口と、外気を導入する外気導入口と、この外気導入口から導入された外気を室内へ給気する給気口と、前記外気導入口から導入された外気と前記排気口から排気する空気との熱交換を行う熱交換素子とを備えた換気装置であって、
前記熱交換素子の熱交換によって発生する結露を防止する結露防止手段を設けたことを特徴とする。
【００１３】
請求項２の発明は、前記結露防止手段は、前記外気導入口と熱交換素子との間に形成された外気導入室と前記室内とを通する連通開口と、この連通開口および前記外気導入口の開閉を行う開閉手段とを備えていることを特徴とする。
【００１４】
請求項３の発明は、前記排気口から排気される空気の湿度を検出する湿度センサを有し、
前記結露防止手段は、前記湿度センサの検出信号に基づいて前記開閉手段の開閉を制御する制御手段を備えていることを特徴とする。
【００１５】
請求項４の発明は、前記外気導入口から導入される外気の温度を検出する温度センサと、
前記排気口から排気される空気の湿度を検出する湿度センサと、
前記排気口から排気される空気の温度を検出する温度センサとを備え、
前記制御手段は、これらセンサの検出信号に基づいて前記開閉手段の開閉を制御することを特徴とする。
【００１６】
請求項５の発明は、前記給気口から室内へ給気される空気を加熱するヒータを備え、
前記結露防止手段は、前記外気導入口と熱交換素子との間に形成された外気導入室へ前記ヒータで加熱された空気の一部を戻す循環手段であることを特徴とする。
【００１７】
請求項６の発明は、前記外気導入口から導入される外気の温度を検出する温度センサを有し、
前記循環手段は、前記温度センサの検出信号に基づいて前記外気導入室へ戻す加熱された空気の風量を調整することを特徴とする。
【００１８】
請求項７の発明は、前記給気口から室内へ給気される空気を加熱するヒータを備え、
前記結露防止手段は、前記熱交換素子の熱交換によって発生したドレインを受けるドレイン受部を有し、このドレイン受部に前記ヒータによって加熱された空気が当たることを特徴とする。
【００１９】
請求項８の発明は、前記外気導入口と給気口とを連通して熱交換素子を迂回する第１バイパス風路と、前記吸込口と排気口とを連通して熱交換素子を迂回する第２バイパス風路と、第１,第２バイパス風路を開閉する開閉手段とを備え、
前記ヒータを非通電状態にして、所定の作動状態のときに前記開閉手段を開成して熱交換素子に外気と室内の空気を流さないようにしたことを特徴とする。
【００２０】
請求項９の発明は、前記ドレイン受部にドレインが溜まっていないとき、前記ヒータによって加熱された空気がそのドレイン受部に当たらないようにするダンパを設けたことを特徴とする。
【００２１】
請求項１０の発明は、室内の空気を吸い込む吸込口と、この吸い込んだ空気を排気する排気口と、外気を導入する外気導入口と、この外気導入口から導入された外気を室内へ給気する給気口と、前記外気導入口から導入された外気と前記排気口から排気する空気との熱交換を行う熱交換素子とを備えた換気装置であって、
前記排気口から排気した空気と外気とを熱交換し、この熱交換した外気を前記外気導入口に導入することを特徴とする。
【発明の効果】
【００２２】
この発明によれば、結露を防止することのできる換気装置を提供することができる。
【発明を実施するための最良の形態】
【００２３】
以下、この発明に係わる換気装置の実施例を図面に基づいて説明する。
【実施例】
【００２４】
［第１実施例］
図１に示す浴室の換気、乾燥、涼風等の空調機能を有する浴室空調装置としての換気装置１０は、本体ケース１１内に設けた熱交換素子１２と遠心ファン１３,１４とを有しており、遠心ファン１３,１４は本体ケース１１内に設けたファン収容室１５,１６内に設けられている。遠心ファン１３,１４はモータＭ１,Ｍ２によって回転駆動される。
【００２５】
本体ケース１１の右側壁（図１において）には外気導入口１７と排気口１８とが設けられており、本体ケース１１の底面には吸込口１９と給気口２０と連通開口２１とが設けられている。外気導入口１７は外気導入ダクトＤ１を介して室外に連通し、排気口１８は排気ダクトＤ２を介して室外に連通している。吸込口１９は図示しない浴室内の空気を吸い込み、給気口２０は浴室内へ外気を給気し、連通開口２１は浴室内の空気を吸い込むようになっている。
【００２６】
給気口２０にはヒータ２２が設けられており、暖房モードや乾燥モードのときヒータ２２は通電されて給気口２０から浴室内へ給気する外気を加熱する。
【００２７】
外気導入口１７は熱交換素子１２を介してファン収容室１６に連通し、ファン収容室１６は給気口１９に連通している。そして、遠心ファン１４の回転により室外から外気導入ダクトＤ１を介して外気導入口１７へ外気が導入され、この導入された外気が熱交換素子１２を介して給気口２０へ送風されるようになっている。
【００２８】
吸込口１９は熱交換素子１２を介してファン収容室１５に連通し、ファン収容室１５は排気口１８に連通している。そして、遠心ファン１３の回転により浴室内の空気がフロントパネル２３を介して吸込口１９へ吸い込まれ、この吸込口１９に吸い込まれた空気が熱交換素子１２を介して排気口１８へ送風されるようになっている。排気口１８へ送風された空気は排気ダクトＤ２を介して室外へ排気される。
【００２９】
熱交換素子１２は、吸込口１９から吸い込んだ浴室内の空気と外気導入口１７から吸入した外気とを熱交換するものである。
【００３０】
また、本体ケース１１内には、熱交換素子１２と外気導入口１７との間に外気導入室２４が形成されており、この外気導入室２４の下面が開放されて連通開口２１となっている。連通開口２１は外気導入室２４と室内とを連通するものであり、この連通開口２１にはダンパ（開閉手段：開閉手段には開成と閉成という２つの段階だけでなく、開度を調整する機能を有する開度調整手段を含むものである。）２５が設けられている。ダンパ２５は軸２６を中心にして実線位置と破線位置との間を回動移動するようになっており、実線位置に位置しているとき連通開口２１が閉成され、外気導入口１７が開成されている。ダンパ２５が破線位置に位置しているとき連通開口２１が開成されて外気導入口１７が閉成され、実線位置と破線位置との中間に位置しているとき外気導入口１７からの外気と連通開口２１からの浴室内の空気とが熱交換素子１２に導入されるようになっている。そして、連通開口２１とダンパ２５とで結露防止手段が構成されている。
【００３１】
外気導入室２４とファン収容室１５とを仕切る仕切板２７の上面には、排気口１８から排気される浴室の空気の温度を検知する温度センサＳ１と、その空気の湿度を検知する湿度センサＳ２とが取り付けられている。また、仕切板２７の下面には外気導入口１７から導入された外気の温度を検知する温度センサＳ３が取り付けられている。
【００３２】
図２は換気装置１０の制御系の構成を示したブロック図である。図２において、Ｍ３はダンパ２５を回動させるモータ、３０は暖房モードや乾燥モードや換気モードなどの各モードを設定する操作部であり、この操作部３０は例えば脱衣室等に設けられている。３１は図３に示すように結露が生じる湿度と温度の関係を示す飽和曲線Ｇを記憶したメモリ、３２は操作部３０によって設定されたモードや各センサＳ１〜Ｓ３が検知する検知信号に基づいてモータＭ１〜Ｍ３やヒータ２２を制御する制御装置（制御手段）であり、この制御装置３２はＣＰＵ等を備えている。
［動  作］
次に、上記のように構成される換気装置１０の動作について説明する。
【００３３】
操作部３０の操作により乾燥モードが設定されると、モータＭ１,Ｍ２が駆動されて遠心ファン１３,１４が回転していく。また、ヒータ２２は通電される。ダンパ２５は実線位置に位置され、連通開口２１は閉成されている。
【００３４】
遠心ファン１３の回転により浴室内の空気がフロントパネル２３を介して吸込口１９へ吸い込まれていき、この吸込口１９に吸い込まれた空気が熱交換素子１２を介して排気口１８へ送風されていく。一方、遠心ファン１４の回転により室外から外気導入ダクトＤ１を介して外気導入口１７へ外気が導入され、この導入された外気が熱交換素子１２を介して給気口２０へ送風されていく。
【００３５】
そして、熱交換素子１２では外気と浴室の空気との熱交換が行われ、この熱交換された外気はさらにヒータ２２によって加熱されて給気口２０から浴室内へ給気されていき、浴室内の温度が上昇していく。
【００３６】
他方、熱交換された浴室の空気は排気口１８から排気ダクトＤ２を介して室外へ排気されていく。これにより浴室内の湿気が排気されて浴室は乾燥されていき、浴室に衣類を干せば、その衣類を乾燥させることができる。
【００３７】
ところで、排気口１８から排気される空気の温度と湿度は温度センサＳ１と湿度センサＳ２とで検知され、外気導入口１７へ導入された外気の温度は温度センサＳ３によって検知される。制御装置３２は、温度センサＳ１および湿度センサＳ２が出力する検知信号から温度および湿度を求めて図３に示す検出点Ｐを求める。次いで、温度センサＳ３が検知する外気の温度Ｔ１を求め、検出点Ｐをその温度Ｔ１の位置へ平行移動させた際に、その検出点Ｐが飽和曲線Ｇの結露点Ｑを越えるか否かを判断する。
【００３８】
結露点Ｑを越えなければ、熱交換素子１２の熱交換によって結露が生じないので、そのまま乾燥モードを続行する。
【００３９】
結露点Ｑを越える場合、熱交換素子１２の熱交換によって結露が生じるので、モータＭ３を駆動させてダンパ２５を図４に示す位置（図１において破線位置）へ回動させる。ダンパ２５が図４に示す実線位置へ回動移動すると、連通開口２１は開成され、外気導入口１７は閉成する。この外気導入口１７の閉成により、外気の外気導入室２４への導入が停止するとともに、連通開口２１の開成により浴室の空気が外気導入室２４へ導入され、この導入された浴室の空気は熱交換素子１２を通ってヒータ２２で加熱されて給気口２０から浴室へ給気されていく。すなわち、浴室の空気は循環されて浴室の温度が上昇していく。
【００４０】
一方、遠心ファン１３の回転により吸込口１９から吸い込まれた浴室の空気は熱交換素子１２を介して排気口１８へ送風され、この空気は排気ダクトＤ２を介して室外へ排気されていく。
【００４１】
そして、外気導入口１７の閉成により外気が熱交換素子１２へ導入されていかないので、熱交換素子１２では浴室の空気と外気との熱交換が行われることがなく、このため結露は生じないことになる。また、浴室の空気が熱交換素子１２を通って循環していくので、熱交換素子１２は暖められていく。さらに、浴室の空気循環による浴室の温度上昇と排気により浴室の湿度が低下していく。
【００４２】
そして、温度センサＳ１および湿度センサＳ２が検知する検出点Ｐ′が温度Ｔ１だけ左へ平行移動しても結露点Ｑを十分に越えない程度に浴室の湿度が低下すると、制御装置３２はモータＭ３を駆動させてダンパ２５を図１に示す実線位置へ回動移動させる。ダンパ２５が図１に示す実線位置へ回動移動すると、連通開口２１は閉成され、外気導入口１７は開成する。この連通開口２１の閉成および外気導入口１７の開成により、外気導入室２４には外気のみが導入されて熱交換素子１２で浴室の空気と外気との熱交換が行われる。この熱交換の際には、熱交換素子１２が暖められているとともに浴室の湿度が低下していることにより、結露は生じない。
【００４３】
このように、外気温度が結露点以下になったとき熱交換素子１２に外気を通さずに浴室の空気を通して浴室の空気を循環させるようにしたものであるから、結露の発生を防止することができ、しかも外気温度が結露点より以上のときには熱交換素子１２で外気と浴室の空気との熱交換を行うので、ヒータ２２による消費電力の無駄を無くすことができる。
【００４４】
換気モードが設定された場合には、ヒータ２２が通電されないだけであり、動作は乾燥モードと同じなのでその説明は省略する。
【００４５】
暖房モードが設定された場合には、ダンパ２５が図４に示す位置へ回動されるとともにヒータ２２が通電され、モータＭ２のみが駆動されて遠心ファン１４のみが回転される。そして、ダンパ２５が図４に示す実線位置へ回動移動されたことにより連通開口２１が開成され、外気導入口１７が閉成する。
【００４６】
遠心ファン１４の回転により、連通開口２１から浴室の空気が外気導入室２４へ導入され、この導入された浴室の空気は熱交換素子１２を通ってヒータ２２で加熱されて給気口２０から浴室へ給気されていく。このように浴室の空気は循環されて浴室の暖房が行われることになる。
【００４７】
この第１実施例では、１つのダンパ２５によって連通開口２１および外気導入口１７の開閉を行うようにしているが、それぞれにシャッタ（開閉手段）を設けて連通開口２１および外気導入口１７の開閉を行うようにしてもよい。この場合、各シャッタの開度を調整するようにしてもよい。
［他の例］
図５に示す換気装置１０′は、図３に示す検出点Ｐが温度センサＳ３が検知する外気の温度Ｔ１の位置へ平行移動させた際に、その検出点Ｐが飽和曲線Ｇ（図３参照）の結露点Ｑを越える場合、ダンパ２５を図５に示す位置に回動移動させるものである。すなわち、図１に示すダンパ２５の実線位置と破線位置との間の中間位置にダンパ２５を回動移動させることにより、外気導入口１７からの外気に連通開口２１からの浴室内の空気を混合させて外気の温度を上昇させ、これにより熱交換素子１２の結露の防止を図ったものである。
【００４８】
この換気装置１０′によれば、換気装置１０の給気口１９から浴室へ給気する循環風よりも湿度の低い空気を浴室内に給気することができるので、より短時間で浴室の乾燥を行うことができる。
［第２実施例］
図６および図７は第２実施例の換気装置１００を示したものである。この換気装置１００は、湿度センサＳ２の検知信号に基づいてダンパ２５の切換動作を制御するようにしたものである。
【００４９】
すなわち、湿度センサＳ２が検知する浴室の空気の湿度が９５％以下のときには、熱交換素子１２の熱交換により結露が生じないので、第１実施例と同様にダンパ２５を図６の実線位置にして浴室の乾燥や換気を行う。湿度センサＳ２が検知する湿度が９５％より大きくなったときには、熱交換素子１２の熱交換により結露が生じ易くなるので、ダンパ２５を図７に示す実線位置へ回動移動させて連通開口２１を開成するとともに外気導入口１７を閉成して、第１実施例と同様に結露の防止を図るようにしたものである。その他の動作も第１実施例と同様なのでその説明は省略する。
［他の例］
図８は第２実施例の他の例の換気装置１００′を示したものである。この換気装置１００′は、湿度センサＳ２が検知する湿度が９５％より大きくなったとき、ダンパ２５を図８に示す中間位置（図６に示すダンパ２５の実線位置と破線位置との間の中間位置）へ回動移動させるようにしたものである。
【００５０】
この換気装置１００′の動作は、第１実施例の他の例と同様なのでその説明は省略する。
［第３実施例］
図９および図１０は第３実施例の換気装置１２０を示したものである。この換気装置１２０は、給気口２０から浴室へ給気される空気の一部を外気導入室２４へ戻す連通風路１２１を設けたものである。この連通風路１２１の入口１２２には入口１２２を開閉するダンパ１２３が設けられている。このダンパ１２３が図９に示す位置に位置しているとき、入口１２２は閉成されて給気口２０からの空気は連通風路１２１に導入されないようになっている。そして、図１１に示すように、連通風路１２１とダンパ１２３とでヒータ２２で加熱された空気の一部を外気導入室２４へ戻す循環手段が構成されている。
【００５１】
ダンパ１２３は、温度センサＳ３が検知する外気の温度に基づいて切換制御される。温度センサＳ３が検知する外気の温度が例えば５゜Ｃより以上のとき、図９に示す位置に回動移動され、外気の温度が５゜Ｃ以下になったとき、図１１に示す位置に回動移動される。他の構成は第１実施例と同様な構成なのでその説明は省略する。
【００５２】
外気の温度が５゜Ｃ以下になると熱交換素子１２による熱交換で結露が生じ易くなるが、このとき、ダンパ１２３は図１１に示す位置に回動移動されて、給気口２０から給気され空気の一部が連通風路１２１に導入されて外気導入室２４へ導入される。連通風路１２１に導入された空気はヒータ２２によって加熱されているので、外気導入口１７から外気導入室２４へ導入された外気はその加熱された空気と混合して温度上昇する。このため、外気の温度が５゜Ｃ以下であっても熱交換素子１２による熱交換での結露が防止される。
【００５３】
この第３実施例では、温度センサＳ３が検知する外気の温度が５゜Ｃ以下のときダンパ１２３を開成しているが、その外気の温度に応じてダンパ１２３の開度を変えて外気導入室２４へ戻す風量を調整するようにしてもよい。
【００５４】
ダンパ１２３が図９に示す位置に回動移動されているときには、第１実施例の乾燥モードや換気モードと同じ動作が行われるのでその説明は省略する。
［第４実施例］
図１２は第４実施例の換気装置１３０を示したものである。図１２において、１３１は浴室の空気を吸い込む吸込口１３２と外気を浴室へ給気する給気風路１３３とを仕切る仕切壁であり、この仕切壁１３１には吸込口１３２と給気風路１３３とを連通する開口１３４が形成され、この開口１３４には送風ファン１３５が設けられている。給気風路１３３の給気口１３３Ａにはヒータ１３６が設けられている。
【００５５】
吸込風路１４０にはダンパ１３７が設けられており、ダンパ１３７は実線の位置と破線の位置へ回動移動するようになっている。ダンパ１３７が実線の位置に位置しているとき、開口１３４は閉成され吸込風路１４０は開成されている。ダンパ１３７が破線位置へ回動移動すると、吸込風路１４０は閉成されるとともに開口１３４は開成される。
【００５６】
換気装置１３０内には、熱交換素子１２によって生じたドレインを受けるドレイン受部（結露防止手段）１３８が排気風路１３９に設けられている。このドレイン受部１３８の底部１３８Ａは給気口１３３Ａへ迫り出しており、給気口１３３Ａから給気される外気がその底部１３８Ａに当たるようになっている。
［動  作］
次に、上記のように構成される換気装置１３０の動作について説明する。
【００５７】
乾燥モードが設定されると、ヒータ１３６が通電されるとともに遠心ファン１３,１４が回転される。
【００５８】
遠心ファン１３の回転により浴室内の空気が吸込口１３２から吸い込まれていき、この吸込口１３２に吸い込まれた空気が吸込風路１４０および熱交換素子１２を介して排気口１８へ送風されていく。一方、遠心ファン１４の回転により室外から外気導入ダクト(図示せず)を介して外気導入口１７へ外気が導入され、この導入された外気が熱交換素子１２および給気風路１３３を介して給気口１３３Ａへ送風されていく。
【００５９】
そして、熱交換素子１２では外気と浴室の空気との熱交換が行われ、この熱交換された外気はさらにヒータ１３６によって加熱されていく。この加熱された外気は給気口１３３Ａからドレイン受部１３８の底部１３８Ａに当たって浴室へ給気されていく。
【００６０】
熱交換素子１２の熱交換によって結露が生じてドレイン受部１３８にドレインが溜まった場合、ドレイン受部１３８の底部１３８Ａに加熱された外気が当たってドレイン受部１３８が暖められているので、そのドレインは蒸発して排気口１８から排気ダクト(図示せず)を介して室外へ排気される。このため、ドレインは除去され、結露の発生による問題は生じないことになる。
【００６１】
換気モードが設定された場合には、ヒータ１３６の通電が停止されるだけで、他は乾燥モードと同じ動作が行われるのでその説明は省略する。
【００６２】
暖房モードが設定された場合には、ダンパ１３７が破線位置へ回動移動されるとともにヒータ１３６が通電され、送風ファン１３５のみが回転される。
【００６３】
ダンパ１３７の破線位置への回動移動により、吸込風路１４０が閉成され、開口１３４が開成されるので、吸込口１３２から吸い込まれた浴室の空気は開口１３４を通って給気風路１３３に送風され、さらにヒータ１３６を通って加熱されて給気口１３３Ａから浴室へ給気されていく。このように浴室の空気は循環されて浴室の暖房が行われることになる。
【００６４】
この換気装置１３０によれば、ドレインを除去するための専用のヒータを設ける必要がないので、部品点数や消費電力を抑えることができる。
［他の例］
図１３は他の例の換気装置１５０を示したものである。この換気装置１５０では、遠心ファン１３を吸込風路１４０に設け、排気風路１３９に仕切板１４１を設けたものである。他の構成は第４実施例と同様なのでその説明は省略する。
［第５実施例］
図１４は第５実施例の換気装置１６０を示したものである。この換気装置１６０はヒータ１３６で加熱された外気がドレイン受部１３８の底部１３８Ａに当たる位置と、その外気がドレイン受部１３８の底部１３８Ａに当たらない位置とに切換可能なダンパ１６１を設けたものである。
【００６５】
このダンパ１６１が実線位置に位置しているとき、ヒータ１３６で加熱された外気がドレイン受部１３８の底部１３８Ａに当たって浴室へ給気され、ダンパ１６１が破線位置へ回動移動すると、ヒータ１３６で加熱された外気はドレイン受部１３８の底部１３８Ａに当たることなく浴室へ給気されていく。
【００６６】
これは、ドレイン受部１３８にドレインが溜まっていないときには、ダンパ１６１を破線位置へ切り換えることによって、加熱された外気の熱がドレイン受部１３８を介して排気風路１３９へ逃げてしまうのを防止するものである。
［第６実施例］
図１５は第６実施例の換気装置１７０を示したものである。この換気装置１７０は、外気導入風路１７１と給気風路１４０とを連通するとともに熱交換素子１２を迂回する第１バイパス風路１７２と、給気口１３３Ｂと排気風路１３９とを連通するとともに熱交換素子１２を迂回する第２バイパス風路１７３と、第１バイパス風路１７２の両端開口に設けたダンパ（開閉手段）１７５,１７６と、第２バイパス風路１７３を開閉するとともにドレイン受部を兼用するダンパ（開閉手段）１７４とを設けたものである。給気口１３３Ｂは給気口１３３Ａに隣接して形成されているとともに浴室に連通している。
【００６７】
この換気装置１７０は、涼風モードが設定されると、ヒータ１３６を非通電状態にするとともに、図１５に示すように各ダンパ１７４〜１７６を実線位置に位置させて、遠心ファン１３,１４を回転させる。遠心ファン１３の回転により浴室の空気が給気口１３３Ｂから吸引されて第２バイパス風路１７３を介して排気風路１３９へ吸引されていく。この排気風路１３９へ吸引された浴室の空気は排気口１８へ送風されて図示しない排ダクトを介して室外へ排気されていく。
【００６８】
一方、遠心ファン１４の回転により室外から外気導入ダクト(図示せず)を介して外気導入口１７へ外気が導入され、この導入された外気が第１バイパス風路１７２を介して吸込風路１４０へ送風され、吸込風路１４０の吸込口１３２から外気が浴室へ給気されていく。
【００６９】
このように、外気は熱交換素子１２を通らずに浴室へ給気され、浴室の空気も熱交換素子１２を通らずに室外へ排気されていくので、熱交換素子１２で結露が発生せずに浴室の換気が行われることになる。
【００７０】
乾燥モードが設定されると、図１６に示すように、各ダンパ１６１,１７４〜１７６が実線位置に切り換わるとともにヒータ１３６が通電される。ダンパ１７５,１７６により第１バイパス風路１７２の両端開口が閉成され、ダンパ１７４により第２バイパス風路１７３が閉成される。
【００７１】
そして、遠心ファン１３の回転により吸込口１３２から浴室内の空気が吸込口１３２から吸い込まれていき、この吸込口１３２に吸い込まれた空気が吸込風路１４０および熱交換素子１２および排気風路１３９を介して排気口１８へ送風されていく。一方、遠心ファン１４の回転により室外から外気導入ダクト(図示せず)を介して外気導入口１７へ外気が導入され、この導入された外気が熱交換素子１２および給気風路１３３を介して給気口１３３Ａへ送風されていく。
【００７２】
熱交換素子１２では外気と浴室の空気との熱交換が行われ、この熱交換された外気はさらにヒータ１３６によって加熱されていく。この加熱された外気は、ダンパ１６１が図１６に示す実線位置に位置していることにより、給気口１３３Ａから給気口１３３Ｂを介して浴室へ給気されていく。この給気の際にその加熱された外気がダンパ１７４の下面に当たっていく。
【００７３】
熱交換素子１２の熱交換によって結露が生じてダンパ１７４にドレインが溜まっている場合、ダンパ１７４の下面に加熱された外気が当たってダンパ１７４が暖められていくので、そのドレインは蒸発して排気口１８から排気ダクト(図示せず)を介して室外へ排気される。このため、ドレインは除去され、結露の発生による問題は生じないことになる。
【００７４】
他の動作は第５実施例と同様なのでその説明は省略する。
［第７実施例］
図１７は第７実施例の換気装置１８０を示したものである。この換気装置１８０は、外気導入口１７に接続した外気導入ダクトＤ３と排気口１８に接続した排気ダクドＤ４とを面接触させて、外気導入口１７に導入される外気と排気口１８から排気された外気とを熱交換させ、この熱交換した外気を外気導入口１７に導入させるようにしたものである。排気ダクドＤ４は、この排気ダクトＤ４内に結露が生じた場合であってもその結露が排出されるように傾斜させて設置する。
【００７５】
また、換気装置１８０は、換気装置１０（図１参照）のダンパ２５とセンサＳ１〜Ｓ３以外は換気装置１０と同様な構成なのでその説明は省略する。
［他の例］
図１８は、第７実施例の他の例の換気装置１９０を示したものである。この換気装置１９０は、排気ダクトＤ５の一部を外気導入ダクトＤ６内に設けて熱交換するようにしたものである。これは、ダクトＤ５,Ｄ６の一部を二重管するものであり、例えば図１９に示すように、外気導入ダクトＤ６の一部にボックス部Ｄ６ｂを設け、このボックス部Ｄ６ｂ内に排気ダクトＤ５を通すものである。
【００７６】
上記実施例は、いずれも浴室に適用した換気装置について説明したがこれに限らず、例えば居室内を換気する換気装置に適用してもよい。
【図面の簡単な説明】
【００７７】
【図１】第１実施例の換気装置の構成を示した断面図である。
【図２】図１に示す換気装置の制御系の構成を示したブロック図である。
【図３】湿度および温度に対する飽和曲線を示したグラフである。
【図４】ダンパが切り換わった換気装置を示した説明図である。
【図５】第１実施例の他の例の換気装置を示した説明図である。
【図６】第２実施例の換気装置の構成を示した断面図である。
【図７】ダンパが切り換わった換気装置を示した説明図である。
【図８】第２実施例の他の例の換気装置を示した説明図である。
【図９】第３実施例の換気装置の構成を示した断面図である。
【図１０】図９に示す換気装置のフロントパネルを省略した底面図である。
【図１１】図９に示す換気装置のダンパが切り換わった状態を示した説明図である。
【図１２】第４実施例の換気装置の構成を概念的に示した説明図である。
【図１３】第４実施例の他の例の換気装置の構成を概念的に示した説明図である。
【図１４】第５実施例の換気装置の構成を概念的に示した説明図である。
【図１５】第６実施例の換気装置の構成を概念的に示した説明図である。
【図１６】乾燥モードのときの各ダンパの位置を示した説明図である。
【図１７】第７実施例の換気装置の構成を示した説明図である。
【図１８】第７実施例の他の例の換気装置の構成を示した説明図である。
【図１９】ダクトの構成を示した説明図である。
【図２０】従来の換気装置の構成を示した説明図である。
【符号の説明】
【００７８】
１０              換気装置
１２              熱交換素子
１７              外気導入口
１９              吸込口
２０              給気口
２１              連通開口
２５              ダンパ
【図１】
2005164113.tif 000003
【図２】
2005164113.tif 000004
【図３】
2005164113.tif 000005
【図４】
2005164113.tif 000006
【図５】
2005164113.tif 000007
【図６】
2005164113.tif 000008
【図７】
2005164113.tif 000009
【図８】
2005164113.tif 000010
【図９】
2005164113.tif 000011
【図１０】
2005164113.tif 000012
【図１１】
2005164113.tif 000013
【図１２】
2005164113.tif 000014
【図１３】
2005164113.tif 000015
【図１４】
2005164113.tif 000016
【図１５】
2005164113.tif 000017
【図１６】
2005164113.tif 000018
【図１７】
2005164113.tif 000019
【図１８】
2005164113.tif 000020
【図１９】
2005164113.tif 000021
【図２０】
2005164113.tif 000022